(57)【特許請求の範囲】
【請求項１】
表示部と、
複数のキーと、
前記表示部の表示を制御するとともに、前記複数のキーによる入力情報を処理する制御部と、を備え、
前記制御部は、パスワードとともに、予め設定され、所定の機能が対応付けされた機能実行コードが入力されることで、ロックを解除し、入力された前記機能実行コードに従って、前記所定の機能を実行し、前記表示部に所定の機能画面を表示し、
前記所定の機能と、前記機能実行コードとの対応付けは任意に設定可能であることを特徴とする、電子機器。
【請求項２】
前記機能実行コードは、前記パスワードの後に入力される、請求項１記載の電子機器。
【請求項３】
前記機能実行コードは、前記パスワードの前に入力される、請求項１記載の電子機器。
【発明の詳細な説明】
【技術分野】
【０００１】
本発明は電子機器に関し、特に、携帯性を有し、キー入力により情報を入力する電子機器に関する。
【背景技術】
【０００２】
携帯性を有し、キー入力により情報を入力する電子機器、例えば携帯無線端末などでは、携帯している際に、誤ってキーに触れることによる誤操作や、他人の手に渡って使用されることを防ぐために、キーロックやダイアルロックなどのダイアル操作防止機能を備えているものが多い。
【０００３】
例えば、特許文献１には、パスワード（暗証番号）を入力することでダイアルロックをかけたり、解除する携帯無線端末の構成が開示されている。
【先行技術文献】
【特許文献】
【０００４】
【特許文献１】特開２００６−１９１２４５号公報
【発明の概要】
【発明が解決しようとする課題】
【０００５】
昨今では、携帯無線端末には様々なアプリケーションが搭載され、電話機としての機能だけでなく、多数の機能を有するものとなっている。このような多機能を有する携帯無線端末ではあるが、各機能を実行するには、階層構造を有するメニューから使いたいコンテンツを探し出して実行させるが、深い階層までに一気に到達できるパーソナルコンピュータなどとは違い、携帯無線端末では段階を踏まないと所望の階層までに到達できず、複数回のキー操作が必要となる。
【０００６】
キーロックやダイアルロックなどを解除するためのパスワードの入力画面を開くには、待ち受け画面から開き、ロックを解除すると待ち受け画面に戻る機種が多いが、先に説明したように、多機能を有する昨今の携帯無線端末では、電話機能よりも他の機能を頻繁に使う場合が考えられるので、待ち受け画面に戻ることが望ましいとは言えない場合が多々ある。
【０００７】
例えば、何らかのアプリケーションを使用していてロックをかける必要が生じ、ロックを解除した後、当該アプリケーションを再度使用する場合、待ち受け画面に戻ってしまうと、再びそのアプリケーションを探し出して起動させなければならず、手間がかかるという問題があった。
【０００８】
本発明は上記のような問題点を解消するためになされたもので、ダイアル操作防止機能を有した電子機器において、ロックを解除した後、即座に所望の機能を実行させることが可能な電子機器を提供することを目的とする。
【課題を解決するための手段】
【０００９】
上記課題を解決するため、本発明に係る電子機器は、表示部と、複数のキーと、前記表示部の表示を制御するとともに、前記複数のキーによる入力情報を処理する制御部とを備え、前記制御部は、パスワードとともに、予め設定され、所定の機能が対応付けされた機能実行コードが入力されることで、ロックを解除し、入力された前記機能実行コードに従って、前記所定の機能を実行し、前記表示部に所定の機能画面を表示し、前記所定の機能と、前記機能実行コードとの対応付けは任意に設定可能である。
【００１０】
本発明に係る電子機器の一態様は、前記機能実行コードが、前記パスワードの後に入力される。
【００１１】
本発明に係る電子機器の一態様は、前記機能実行コードが、前記パスワードの前に入力される。
【発明の効果】
【００１８】
本発明に係る電子機器によれば、ロック解除に際して、パスワードとともに、機能実行コードを入力することで、パスワード入力画面から所望の機能画面に一気に切り替えることができ、ユーザーにとって使い勝手が良くなると共に、所定の機能と、機能実行コードとの対応付けが任意に設定可能であるので、使い勝手の良い設定が可能となる。
【００１９】
本発明に係る電子機器の一態様によれば、機能実行コードをパスワードの後に入力するので、機能実行コードを入力しないという選択も可能となる。
【００２０】
本発明に係る電子機器の一態様によれば、機能実行コードをパスワードの前に入力するので、機能実行コードの分だけパスワードが増えたように見え、セキュリティ能力が向上する。
【００２２】
本発明に係る電子機器によれば、ロック解除に際して、パスワードを入力するだけで、パスワード入力画面から予め定めた機能画面に一気に切り替えることができ、ユーザーにとって使い勝手が良くなる。
【図面の簡単な説明】
【００２７】
【図１】本発明に係る携帯無線端末を開いた状態の外観形状を示す図である。
【図２】本発明に係る携帯無線端末の電気的な構成を示すブロック図である。
【図３】実施の形態１に係るロック解除動作を説明するフローチャートである。
【図４】実施の形態１に係るロック解除動作の具体例を説明する図である。
【図５】機能実行コードの設定方法を説明する図である。
【図６】実施の形態２に係るロック解除動作を説明するフローチャートである。
【図７】実施の形態２に係るロック解除動作の具体例を説明する図である。
【図８】実行すべき機能の対応付けの方法を説明する図である。
【図９】本発明に係る携帯無線端末の外観形状を示す図である。
【図１０】タッチ操作によりロックを解除する動作を説明する図である。
【図１１】タッチ操作によりロックを解除するとともに指定画面を表示する動作を説明する図である。
【図１２】画面指定操作の設定方法を説明する図である。
【図１３】画面指定操作の設定方法を説明する図である。
【発明を実施するための形態】
【００２８】
＜実施の形態１＞
以下、本発明の実施の形態１として、本発明に係る電子機器を折り畳み式の携帯無線端末に適用した例について説明する。なお、本発明の適用はこれに限定されるものではなく、少なくとも１つのタッチパネルを有し、そこに表示されたソフトウエアキーにより入力を行う携帯無線端末に対しても適用可能であるし、また携帯無線端末に限定されるものではなく、例えば、ＰＤＡ（Personal Digital Assistant）など、携帯性を有し、キー入力により情報を入力する電子機器にも適用可能である。
【００２９】
図１は、本発明を適用した折り畳み式の携帯無線端末１００の外観形状を示す図であり、図１は、携帯無線端末１００を開いた状態の図である。
【００３０】
携帯無線端末１００は、図１に示すように、第１筐体である表示部側筐体１０と、第２筐体である操作部側筐体２０とを備えている。表示部側筐体１０と操作部側筐体２０とは、例えば、図示されないヒンジ部を介して連結されており、携帯無線端末１００を開状態および閉状態に変更可能に構成されている。なお、携帯無線端末１００を開状態とした場合、操作部側筐体２０の側を下側、その反対を上側と呼称する。
【００３１】
すなわち、ヒンジ部は、表示部側筐体１０と操作部側筐体２０とを、任意の角度で開閉可能に連結している。ここで、閉状態とは、表示部側筐体１０と操作部側筐体２０とが互いに重なるように配置された状態であり、開状態（図１）とは、表示部側筐体１０と操作部側筐体２０とが互いに重ならないように配置された状態を指す。
【００３２】
操作部側筐体２０は、キー操作部１２を有している。ここで、キー操作部１２は、電話番号の数字やメール等の文字等を入力するためのテンキー等の入力操作キー２２、クリアーキー２３１や、電源キー２３２など、各種機能を作動させるための機能設定操作キー２３、各種操作における決定や上下左右方向のスクロール等を行う決定操作キー２４などを有している。
【００３３】
表示部側筐体１０は、携帯無線端末１００を開くことで露出するディスプレイ１１（表示部）を有している。また、表示部側筐体１０には、音声出力部としてのスピーカ１８が格納されており、スピーカ１８は、ディスプレイ１１が設けられた面の上側端部近傍に設けられている。また、操作部側筐体２０には、音声入力部としてのマイク１９や格納されており、マイク１９は、操作キー群２５が設けられた面の下側端部近傍に設けられている。
【００３４】
＜電気的構成＞
図２は携帯無線端末１００の電気的な構成を示すブロック図である。図２に示されるように、携帯無線端末１００は、ディスプレイ１１、キー操作部１２、音声出力部（スピーカ）１８、音声入力部（マイク）１９、制御部３０および無線通信部３１を備えている。なお、制御部３０および無線通信部３１は、操作部側筐体２０内に収められている。
【００３５】
制御部３０は、ＣＰＵ３０ａおよび記憶部３０ｂ等を備えており、キー操作部１２の複数のキーによるキー入力による情報を処理するとともに、携帯無線端末１００の他の構成要素を制御することによって、携帯無線端末１００の動作を統括的に管理する。記憶部３０ｂは、ＲＯＭおよびＲＡＭ等で構成されている。制御部３０の各種機能は、ＣＰＵ３０ａが記憶部３０ｂ内の各種プログラムを実行することによって実現される。
【００３６】
無線通信部３１は、携帯無線端末１００とは別の携帯無線端末や、インターネットに接続されたＷｅｂサーバ等の通信装置からの無線信号をアンテナ３１ａで受信し、受信信号に対して増幅処理やダウンコンバートを行って制御部３０に出力する。また無線通信部３１は、制御部３０で生成された送信信号に対してアップコンバートや増幅処理を行って、処理後の送信信号をアンテナ３１ａを通じて、携帯無線端末１００とは別の携帯無線端末や、インターネットに接続された通信装置に対して無線送信する。
【００３７】
音声入力部１９は、外部から入力される音声を音声データに変換して制御部３０に出力する。音声出力部１８は、制御部３０からの音声データを音声に変換して外部に出力する。
【００３８】
また、制御部３０はキー制御部３０ｃを有し、ダイアル操作防止機能（以後、ロック機能と呼称）が実行されている状況（ロックしている状況）では、所定のキー以外はキー操作を受け付けない構成となっている。
【００３９】
ディスプレイ１１は、制御部３０によって制御されることによって、文字、記号、図形などの各種情報を表示する。
【００４０】
なお、上述した携帯無線端末１００においては、１つのディスプレイ１１のみを有する構成として示したが、例えば表示部側筐体１０のディスプレイ１１が設けられた面とは反対側の面にディスプレイを有する構成であっても良い。また、キー操作部１２は、押しボタン式のキーにより構成されるものとして説明したが、タッチパネル機能により実現されるタッチキー（ソフトウエアキー）により構成しても良い。その場合、１つのディスプレイを有する構成において、当該ディスプレイ上にタッチキーを表示する構成や、複数のディスプレイを有する構成において、１つのディスプレイにタッチキーを表示する構成を採ることができる。
【００４１】
＜動作＞
次に、図１および図２を参照しつつ、図３に示すフローチャートを用いて、実施の形態１に係るロック解除動作について説明する。
【００４２】
図２に示した制御部３０においてロック機能が実行されると（ステップＳ１）、制御部３０はロック解除のためのパスワード（暗証番号）が入力されるのを待つことになる（ステップＳ２）。なお、ロック機能は、携帯無線端末１００を閉じることで自動的に実行されるように設定することが可能である。
【００４３】
そして、キー操作部１２でのキー操作によりパスワードが入力され、さらに、予め定めた機能実行コードが入力されて確定した場合は（ステップＳ３）、制御部３０はロックを解除し、入力された機能実行コードに従って、ディスプレイ１１に所定の機能画面を表示する（ステップＳ４）。ここで、機能実行コードとは、所定の機能が対応付けされた数字であり、所定の機能との対応付けは予め設定されている。
【００４４】
一方、機能実行コードが入力されず、パスワードのみが入力されて確定した場合は、ロックを解除し、待ち受け画面を開く（ステップＳ５）。
【００４５】
ステップＳ４あるいはステップＳ５を経て、何れかの機能画面が開くことでロック解除動作は終了する。
【００４６】
＜具体例＞
次に、図３を参照しつつ図４を用いて、実施の形態１に係るロック解除動作の具体例を説明する。
【００４７】
図４の（ａ）部には、ロック解除のためにディスプレイ１１に、パスワード入力画面を開いた状態を示しており、パスワード入力画面には、例えば「パスワードを入力して下さい」という文章が表示され、暗証番号の入力が促される。ここではパスワードとして「１１２９」を入力する。
【００４８】
ここで、パスワードの入力だけで確定を行うと、図３のフローチャートにおけるステップＳ５へと進みロックが解除され、待ち受け画面が開くことになる。
【００４９】
一方、パスワードを入力した後、図４の（ｂ）部に示されるように、確定前に所定の機能実行コードを入力して確定すると、図３のフローチャートにおけるステップＳ４に進んで、入力された機能実行コードに従って、ディスプレイ１１に所定の機能画面が表示される。
【００５０】
なお、図４の（ｂ）部では、機能実行コードとして「３」を入力する例を示しているが、機能実行コードはパスワードが入力されたことを示す「＊」マークの最後に数字として表示されている。パスワードと同様に「＊」マークで表示しても良いが、数字で表示することで入力ミスを低減することができる。また、パスワードの後に機能実行コードを入力する構成を採ることで、機能実行コードを入力しないという選択も可能となる。
【００５１】
ここでは、機能実行コード「３」はメール機能を実行してメール画面を開くように対応付けられており、図４の（ｃ）部に示されるように、パスワード入力画面からメール画面に切り替わることとなる。このため、メール機能を多用するユーザーにとっては使い勝手が良くなる。
【００５２】
＜機能実行コードの設定＞
なお、ロック解除後に即座に使いたい機能は人によって異なり、また、種々の機能を活用している人にとってはロック解除後に即座に使いたい機能は多岐に渡ることとなる。このため、機能実行コードによって実行させることができる機能は複数であることが望ましく、また、何れの機能を対応付けるかは任意に設定できることが望ましい。そのため、機能実行コードによって実行させることができる機能は複数であり、かつ任意に設定できる構成となっている。以下、図５を用いて、機能実行コードの設定方法について説明する。
【００５３】
図５の（ａ）部には、所定のキー操作を経てディスプレイ１１に表示された、機能画面選択ウインドウ５０を示している。機能画面選択ウインドウ５０内には、「直前の画面」を選択する項目５１、「待ち受け画面」を選択する項目５２、「メール画面」を選択する項目５３および「ブラウザ画面」を選択する項目５４などが表示されているが、これは一例に過ぎない。
【００５４】
ここで、「○○画面」という表現は便宜的なものであり、「○○機能」と読み替えることができ、機能画面選択ウインドウは、機能選択ウインドウと読み替えることができる。なお、「直前の画面」とは、ロック機能を実行する前に実行していた機能で使用される画面であり、「直前の画面」を選択することで、ロック機能を実行する前に実行していた機能に戻ることができる。
【００５５】
図５の（ａ）部では、「ブラウザ画面」を選択する例を示しており、項目５４を選択して確定すると、次には、図５の（ｂ）部に示すようなコード番号設定ウインドウ６０が表示される。コード番号設定ウインドウ６０には、機能画面選択ウインドウ５０で選択した「メール画面」に対応付けるコード番号を入力する入力欄６１があり、テンキーにより所定の数字を入力する。ここで、コード番号は、例えば０から９までの１桁の数字で設定され、図５の（ｂ）部では「４」を設定する例を示している。なお、０から９までの１桁の数字で設定する場合は、機能実行コードによって実行させることができる機能は、最大で１０種類となるが、もちろん、２桁の数字で設定するように構成しても良いことは言うまでもない。また、数字に限定されるものではなく、英文字を使用する構成としても良い。
【００５６】
コード番号設定ウインドウ６０でコード番号を設定すると、図５の（ｃ）部に示すようなコード／画面一覧ウインドウ７０が表示される。コード／画面一覧ウインドウ７０内には、対応付けが終了した機能画面の名称と、それに対応するコード番号とが示されている。すなわち、コード番号１には「直前の画面」が対応付けられ、コード番号２には「待ち受け画面」が対応付けられ、コード番号３には「メール画面」が対応付けられ、コード番号４には「ブラウザ画面」が対応付けられている。なお、コード番号は続き番号である必要はなく、ユーザーの好みや、覚えやすい数字を設定すれば良い。
【００５７】
以上説明した機能実行コードの設定手順を経ることで、所望の機能画面とコード番号とを対応付けることができ、使い勝手の良い設定が可能となる。
【００５８】
なお、製品出荷時にはデフォルトで幾つかの機能画面をコード番号と対応付けしておき、ユーザーが好みに応じて変更できるようにしても良い。
【００５９】
以上説明したように、ロック解除に際して、パスワードとともに、機能実行コードを入力することで、パスワード入力画面から所望の機能画面に一気に切り替えることができる。このため、ユーザーにとって使い勝手が良くなるという効果が得られる。
【００６０】
＜変形例＞
なお、以上の説明においてはパスワードの後にコード番号を入力する構成を示したが、コード番号を最初に入力する構成としても良い。この場合、不正にロックを解除しようとする者から見ると機能実行コードの分だけパスワードが増えたように見え、セキュリティ能力が向上する。
【００６１】
＜実施の形態２＞
次に、本発明に係る実施の形態２について、図６〜図８を用いて説明する。なお、装置構成は図１および図２に示した携帯無線端末１００と同じであるので説明は省略する。
【００６２】
＜動作＞
まず、図１および図２を参照しつつ、図６に示すフローチャートを用いて、実施の形態２に係るロック解除動作について説明する。
【００６３】
図２に示した制御部３０においてロック機能が実行されると（ステップＳ１１）、制御部３０はロック解除のためのパスワードが入力されるのを待つことになる（ステップＳ１２）。なお、ロック機能は、携帯無線端末１００を閉じることで自動的に実行されるように設定することが可能である。
【００６４】
そして、キー操作部１２でのキー操作によりパスワードが入力されて確定し、当該パスワードに対応してロック解除後に実行すべき機能が設定されている場合には（ステップＳ１３）、制御部３０はロックを解除し、パスワードに対応付けられた機能を実行して、その機能画面をディスプレイ１１に表示する（ステップＳ１４）。
【００６５】
一方、パスワードに実行すべき機能が対応付けられていない場合は、ロックを解除し、待ち受け画面を開く（ステップＳ１５）。
【００６６】
ステップＳ１４あるいはステップＳ１５を経て、何れかの機能画面が開くことでロック解除動作は終了する。
【００６７】
＜具体例＞
次に、図６を参照しつつ図７を用いて、実施の形態２に係るロック解除動作の具体例を説明する。
【００６８】
図７の（ａ）部には、ロック解除のためにディスプレイ１１に、パスワード入力画面を開いた状態を示しており、パスワード入力画面には、例えば「パスワードを入力して下さい」という文章が表示され、暗証番号の入力が促される。ここではパスワードとして「１１２９」を入力する。
【００６９】
ここで、入力されたパスワードに実行すべき機能が対応付けられている場合は、パスワードを確定することで、パスワードに対応付けられた機能が実行され、図６のフローチャートにおけるステップＳ１４に進んで、ロックが解除されるとともにパスワードに対応付けられた機能を実行して、その機能画面をディスプレイ１１に表示する。
【００７０】
ここで、図７の（ａ）部で入力したパスワードには、実行すべき機能としてメール機能が対応付けられており、図７の（ｂ）部にはメール画面が表示された例を示している。
【００７１】
一方、入力されたパスワードに実行すべき機能が対応付けられていない場合は、図６のフローチャートにおけるステップＳ１５へと進みロックが解除され、待ち受け画面が開くことになる。
【００７２】
このように、ロック解除のためのパスワードには、実行すべき機能としてメール機能が対応付けられているので、パスワード入力画面からメール画面に切り替わることとなる。このため、メール機能を多用するユーザーにとっては使い勝手が良くなる。
【００７３】
＜実行すべき機能の対応付けの設定＞
なお、ロック解除後に即座に使いたい機能は人によって異なる。このため、何れの機能をパスワードに対応付けるかは任意に設定できることが望ましい。そのため、パスワードに対応付ける実行すべき機能を任意に設定できる構成となっている。以下、図８を用いて、実行すべき機能の対応付け方法について説明する。
【００７４】
図８の（ａ）部には、所定のキー操作を経てディスプレイ１１に表示された、ロック解除のためのパスワードを設定するパスワード設定ウインドウ８０を示している。
【００７５】
パスワード設定ウインドウ８０には、パスワードを設定するための入力欄８１があり、テンキーにより所定の数字を入力する。ここでは、「１１２９」を設定するものとする。
【００７６】
パスワード設定ウインドウ８０でパスワードを設定すると、図８の（ｂ）部に示すような機能画面選択ウインドウ９０が表示される。機能画面選択ウインドウ９０内には、「直前の画面」を選択する項目９１、「待ち受け画面」を選択する項目９２、「メール画面」を選択する項目９３および「ブラウザ画面」を選択する項目９４などが表示されているが、これは一例に過ぎない。
【００７７】
図８の（ｂ）部では、「メール画面」を選択する例を示しており、項目９３を選択して確定することで、パスワード「１１２９」には実行すべき機能としてメール機能が対応付けられる。このため、ロック解除のためのパスワードを入力することで、ロックが解除されるとともにメール機能が実行され、パスワード入力画面からメール画面に切り替わることとなる。
【００７８】
以上説明した実行すべき機能の対応付けの設定手順を経ることで、所望の機能画面とパスワードとを対応付けることができ、使い勝手の良い設定が可能となる。
【００７９】
以上説明したように、ロック解除に際して、パスワードを入力するだけで、パスワード入力画面から予め定めた機能画面に一気に切り替えることができる。このため、ユーザーにとって使い勝手が良くなるという効果が得られる。
【００８０】
＜タッチパネルを有した携帯無線端末への適用例＞
以上説明した実施の形態１および２においては、折り畳み式の携帯無線端末１００を例に採り、ハードウエアとしてのキーによりパスワードやコード番号を入力する構成を示したが、少なくとも１つのタッチパネルを有し、そこに表示されたソフトウエアキーによりパスワードやコード番号を入力する携帯無線端末に対しても適用可能であることは言うまでもない。
【００８１】
また、タッチパネルを有する携帯無線端末においては、パスワードやコード番号を入力する代わりに、指等の指示体による所定のタッチ操作をもってロックを解除する構成を採っても良い。
【００８２】
図９には、タッチパネルを有する携帯無線端末の一例の外観形状を示す。図９に示す携帯無線端末２００は、筐体４０に設けたディスプレイ４１が常に露出した状態の端末であり、図９はそれをディスプレイ４１側から見た平面図である。
【００８３】
筐体４０の、ディスプレイ４１が設けられた側の面内には、音声入力部としてのマイク４３や音声出力部としてのスピーカ４４が格納されており、マイク４３およびスピーカ４４は、ディスプレイ４１が露出する面の長手方向の両端部近傍に設けられている。
【００８４】
なお、ディスプレイ４１のマイク４３が設けられた側の短辺の外側には、タッチパネルにより実現される複数のキーが表示される構成となっている。図９の例では、１つ前の画面に戻るバックキー４２１、各画面に対応したオプションメニューを表示させるメニューキー４２２およびホーム画面に戻るホームキー４２３を表示している。
【００８５】
タッチパネルは、バックキー４２１等が設けられた領域だけでなくディスプレイ４１の領域にもオーバーラップするように設けられ、ダイヤルキーやアルファベットキーなどをソフトウエアキーとしてディスプレイ４１上で機能させることができる。
【００８６】
なお、ディスプレイ４１上で機能するタッチパネル機能は、筐体４０内に収納された制御部（図示せず）によって制御され、ユーザの指等の指示体による操作は、タッチパネルによるタッチパネル機能を介して検出され、制御部に出力される。
【００８７】
このようなタッチパネルを有する携帯無線端末２００において、指等の指示体による所定のタッチ操作によりロックを解除する動作について、図１０および図１１を用いて説明する。
【００８８】
図１０は、ディスプレイ４１上でのロック解除動作を示す図である。図１０の（ａ）部に示すように、ディスプレイ４１には、４つのポイントＡ、Ｂ、ＣおよびＤが４角形の角部に相当する位置に表示されている。ポイントＡ〜Ｄは、反時計回りにこの順となるように配置されている。なお、起点であるポイントＡの位置はどこでも良いが、図１０の例ではディスプレイ４１に向かって左上の位置がポイントＡの位置となっている。また、ディスプレイ４１は便宜的に小さく表現している。
【００８９】
携帯無線端末２００においては、ロック機能が実行された状態ではポイントＡ〜Ｄが表示されており、ロックを解除するには、ポイントＡ〜Ｄを決められた順番に指等の指示体でタッチする必要がある。
【００９０】
この一例としては、図１０の（ｂ）部に示すように、ポイントＡにタッチした指を、ディスプレイ４１にタッチしたままポイントＢまで直線的に移動させ、ポイントＢにタッチした後、さらにポイントＣまで直線的に移動させ、ポイントＣにタッチした後、さらにポイントＤまで直線的に移動させ、ポイントＤにタッチした後、図１０の（ｃ）部に示すように、指をディスプレイ４１上から離すことで、ロックが解除される。このようにポイントＡＢＣＤの順でタッチすることでロックが解除されるが、その場合には携帯無線端末１００と同様に待ち受け画面が開かれる。
【００９１】
一方、実施の形態１および２で説明したようにロック解除後に、予め定めた機能画面を一気に開きたい場合は図１１に示す動作を行えば良い。
【００９２】
すなわち、図１１の（ａ）部に示すように、ポイントＡＢＣＤの順に指を移動させた後、指を離さずにポイントＡまで直線的に移動させ、ポイントＡにタッチした後、指をディスプレイ４１上から離すことで、ロックが解除されるとともに、ポイントＡにまで移動させる操作に対応させて設定されていた指定の画面がディスプレイ４１に表示されることとなる。
【００９３】
また、図１１の（ｂ）部に示すように、ポイントＡＢＣＤの順に指を移動させた後、指を離さずにポイントＡまで直線的に移動させ、ポイントＡにタッチした後、ディスプレイ４１にタッチしたままポイントＢまで直線的に移動させ、ポイントＢにタッチした後、指をディスプレイ４１上から離すことで、ロックが解除されるとともに、ポイントＢにまで移動させる操作に対応させて設定されていた指定の画面がディスプレイ４１に表示されることとなる。
【００９４】
また、図１１の（ｃ）部に示すように、ポイントＡＢＣＤの順に指を移動させた後、指を離さずにポイントＡまで直線的に移動させ、ポイントＡにタッチした後、ディスプレイ４１にタッチしたままポイントＢまで直線的に移動させ、ポイントＢにタッチした後、ディスプレイ４１にタッチしたままポイントＣまで直線的に移動させ、ポイントＣにタッチした後、指をディスプレイ４１上から離すことで、ロックが解除されるとともに、ポイントＣにまで移動させる操作に対応させて設定されていた指定の画面がディスプレイ４１に表示されることとなる。
【００９５】
このように、ポイントＡＢＣＤＡの順に指を移動させるか、ポイントＡＢＣＤＡＢの順に指を移動させるか、ポイントＡＢＣＤＡＢＣの順に指を移動させることで、予め設定された指定の画面をディスプレイ４１に表示することができる。
【００９６】
これは、実施の形態１において説明したパスワードに機能実行コードを加えたものと同じ技術思想に基づくものであり、ポイントＡＢＣＤの順に指を移動させる操作（これを第１のタッチ操作と呼称）がパスワードに相当し、さらに、ポイントＡまで移動させる操作、あるいはポイントＢまで移動させる操作、あるいはポイントＣまで移動させる操作（これらを第２のタッチ操作と呼称）が機能実行コードに相当する。
【００９７】
また、実施の形態２において説明したように、パスワード自体に、ロック解除後に実行すべき機能を対応付けることもできる。
【００９８】
すなわち、図１０を用いて説明したように、ポイントＡＢＣＤの順でタッチする操作に、ロック解除後に実行すべき機能を対応付けることで、ロック解除後に所定の画面が即座に表示されることとなる。
【００９９】
＜画面指定操作の設定＞
次に、図１２を用いて、画面指定操作の設定方法について説明する。図１２の（ａ）部には、ディスプレイ４１に表示された、機能画面選択ウインドウ５０を示している。機能画面選択ウインドウ５０内には、「直前の画面」を選択する項目５１、「待ち受け画面」を選択する項目５２、「メール画面」を選択する項目５３および「ブラウザ画面」を選択する項目５４などが表示されているが、これは一例に過ぎない。
【０１００】
図１２の（ａ）部では、「直前の画面」を選択する例を示しており、項目５１を選択して確定すると、次には、図１２の（ｂ）部に示すような画面指定操作設定ウインドウ１１０が表示される。画面指定操作設定ウインドウ１１０には、機能画面選択ウインドウ５０で選択した「直前の画面」に対応付ける画面指定操作を入力する入力欄１１１があり、ソフトウエアキーにより所定の操作を入力する。ここで、所定の操作を、例えば、図１１に示したように、ポイントＡＢＣＤのタッチ操作とすると、例えば、パスワードに相当するポイントＡＢＣＤの順に指を移動させる操作の後に行われる操作を英文字で入力すれば良い。例えば、図１２の（ｂ）部に示すように、「Ａ」を入力すると、それはポイントＡＢＣＤＡの順に指を移動させる操作を表し、この操作には「直前の画面」が対応付けられることとなる。同様に、「ＡＢ」を入力すると、それはポイントＡＢＣＤＡＢの順に指を移動させる操作を表し、「ＡＢＣ」を入力すると、それはポイントＡＢＣＤＡＢＣの順に指を移動させる操作を表し、「ＡＢＣＤ」を入力すると、それはポイントＡＢＣＤＡＢＣＤの順に指を移動させる操作を表す。
【０１０１】
画面指定操作設定ウインドウ１１０で画面指定操作を設定すると、図１２の（ｃ）部に示すような操作／画面一覧ウインドウ１２０が表示される。操作／画面一覧ウインドウ１２０内には、対応付けが終了した機能画面の名称と、それに対応する操作とが示されている。すなわち、操作Ａには「直前の画面」が対応付けられ、操作ＡＢには「待ち受け画面」が対応付けられ、操作ＡＢＣには「メール画面」が対応付けられ、操作ＡＢＣＤには「ブラウザ画面」が対応付けられている。
【０１０２】
以上説明した画面指定操作の設定手順を経ることで、所望の機能画面と画面指定操作とを対応付けることができ、使い勝手の良い設定が可能となる。
【０１０３】
＜実行すべき機能の対応付けの設定＞
先に説明したように、ポイントＡＢＣＤの順でタッチする操作に、ロック解除後に実行すべき機能を対応付ける方法について説明する。
【０１０４】
図１３の（ａ）部には、ディスプレイ４１に表示された、ロック解除のためのタッチ操作を設定する解除操作設定ウインドウ１３０を示している。
【０１０５】
解除操作設定ウインドウ１３０には、解除操作を設定するための入力欄１３１があり、ソフトウエアキーにより所定の操作を入力する。ここで、所定の操作を、例えば、図１１に示したように、ポイントＡＢＣＤのタッチ操作とすると、その操作の順を表す英文字を入力する。ここでは、「ＡＢＣＤ」を設定するものとする。
【０１０６】
解除操作設定ウインドウ１３０で解除操作を設定すると、図１３の（ｂ）部に示すような機能画面選択ウインドウ９０が表示される。機能画面選択ウインドウ９０内には、「直前の画面」を選択する項目９１、「待ち受け画面」を選択する項目９２、「メール画面」を選択する項目９３および「ブラウザ画面」を選択する項目９４などが表示されているが、これは一例に過ぎない。
【０１０７】
図１３の（ｂ）部では、「直前の画面」を選択する例を示しており、項目９１を選択して確定することで、解除操作「ＡＢＣＤ」には実行すべき機能としてメール機能が対応付けられる。このため、ロック解除のための解除操作を行うことで、ロックが解除されるとともにメール機能が実行され、ロック解除後にメール画面が即座に表示されることとなる。
【０１０８】
なお、上記においては、ポイントＡを起点とする例を説明したが、起点は何れでも良く、また指を移動させる方向が時計回りであっても良い。
【符号の説明】
【０１０９】
１１、４１  ディスプレイ
２２  入力操作キー
３０  制御部
【図１】
0005592245.tif 000002
【図２】
0005592245.tif 000003
【図３】
0005592245.tif 000004
【図４】
0005592245.tif 000005
【図５】
0005592245.tif 000006
【図６】
0005592245.tif 000007
【図７】
0005592245.tif 000008
【図８】
0005592245.tif 000009
【図９】
0005592245.tif 000010
【図１０】
0005592245.tif 000011
【図１１】
0005592245.tif 000012
【図１２】
0005592245.tif 000013
【図１３】
0005592245.tif 000014